(57)【要約】【課題】多数のアンテナを用いる場合に参照信号のオーバーヘッドを抑え、スループットを改善することができる基地局装置、端末装置及び通信方法を提供すること。【解決手段】チャネル状態情報参照信号（ＣＳＩ−ＲＳ）及び前記ＣＳＩ−ＲＳの設定情報を前記端末装置に送信する送信部と、前記端末装置から前記ＣＳＩ−ＲＳに関するチャネル状態情報（ＣＳＩ）を受信する受信部を備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む。【選択図】図３
2019091956.tif 000002
【特許請求の範囲】
【請求項１】
端末装置と通信する基地局装置であって、
チャネル状態情報参照信号（ＣＳＩ−ＲＳ）及び前記ＣＳＩ−ＲＳの設定情報を前記端末装置に送信する送信部と、
前記端末装置から前記ＣＳＩ−ＲＳに関するチャネル状態情報（ＣＳＩ）を受信する受信部を備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む基地局装置。
【請求項２】
前記ＣＳＩ報告タイプがＣＬＡＳＳ  Ａを示す場合、
送信する前記ＣＳＩ−ＲＳのアンテナポート数Ｎによって前記周期的ＣＳＩ−ＲＳの送信周期は異なる請求項１に記載の基地局装置。
【請求項３】
前記ＣＳＩ−ＲＳの設定情報は複数のリソース設定を含み、
前記リソース設定の各々は、前記ＣＳＩ−ＲＳのアンテナポート数よりも少ないアンテナポートのＣＳＩ−ＲＳの配置される情報を示し、
前記複数のリソース設定のうち、１又は全部のリソース設定で示されるアンテナポート数のＣＳＩ−ＲＳを送信する請求項２に記載の基地局装置。
【請求項４】
前記複数のリソース設定のうち１つのリソース設定でＣＳＩ−ＲＳを送信する場合と前記複数のリソース設定の全部のリソース設定でＣＳＩ−ＲＳを送信する場合とで、ＣＳＩ−ＲＳの送信周期は異なる請求項３に記載の基地局装置。
【請求項５】
前記送信部は、前記ＣＳＩ−ＲＳのアンテナポート数Ｎ（Ｎは自然数）よりも少ないアンテナポート数Ｍ（Ｍは自然数）のＣＳＩ−ＲＳ及び該ＣＳＩ−ＲＳの設定情報を送信し、
前記アンテナポート数ＮのＣＳＩ−ＲＳの設定情報に含まれるＣＳＩ−ＲＳ設定ＩＤと前記アンテナポート数ＭのＣＳＩ−ＲＳの設定情報に含まれるＣＳＩ−ＲＳ設定ＩＤは関連付けられている請求項２に記載の基地局装置。
【請求項６】
前記アンテナポート数ＮのＣＳＩ−ＲＳとアンテナポート数ＭのＣＳＩ−ＲＳは、異なるサブフレームで送信される請求項５に記載の基地局装置。
【請求項７】
前記周期的ＣＳＩ−ＲＳを送信するタイミングで前記非周期的ＣＳＩ−ＲＳを送信する場合、前記非周期的ＣＳＩ−ＲＳを優先して送信する請求項１に記載の基地局装置。
【請求項８】
基地局装置と通信する端末装置であって、
チャネル状態情報参照信号（ＣＳＩ−ＲＳ）及び前記ＣＳＩ−ＲＳの設定情報を前記基地局装置から受信する受信部と、
前記ＣＳＩ−ＲＳに関するチャネル状態情報（ＣＳＩ）を前記基地局装置に送信する送信部を備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む端末装置。
【請求項９】
前記ＣＳＩ報告タイプがＣＬＡＳＳ  Ａを示す場合、
受信する前記ＣＳＩ−ＲＳのアンテナポート数Ｎによって前記周期的ＣＳＩ−ＲＳの送信周期は異なる請求項７に記載の端末装置。
【請求項１０】
前記ＣＳＩ−ＲＳの設定情報は複数のリソース設定を含み、
前記リソース設定の各々は、前記ＣＳＩ−ＲＳのアンテナポート数よりも少ないアンテナポートのＣＳＩ−ＲＳの配置される情報を示し、
前記複数のリソース設定のうち、１又は全部のリソース設定で示されるアンテナポート数のＣＳＩ−ＲＳを受信する請求項８に記載の端末装置。
【請求項１１】
前記複数のリソース設定のうち１つのリソース設定でＣＳＩ−ＲＳを受信する場合と前記複数のリソース設定の全部のリソース設定でＣＳＩ−ＲＳを受信する場合とで、ＣＳＩ−ＲＳの送信周期は異なる請求項９に記載の端末装置。
【請求項１２】
前記受信部は、前記ＣＳＩ−ＲＳのアンテナポート数Ｎよりも少ないアンテナポート数ＭのＣＳＩ−ＲＳ及び該ＣＳＩ−ＲＳの設定情報を受信し、
前記アンテナポート数ＮのＣＳＩ−ＲＳの設定情報に含まれるＣＳＩ−ＲＳ設定ＩＤと前記アンテナポート数ＭのＣＳＩ−ＲＳの設定情報に含まれるＣＳＩ−ＲＳ設定ＩＤは関連付けられている請求項８に記載の端末装置。
【請求項１３】
前記アンテナポート数ＮのＣＳＩ−ＲＳとアンテナポート数ＭのＣＳＩ−ＲＳは、異なるサブフレームで送信される請求項１２に記載の端末装置。
【請求項１４】
前記周期的ＣＳＩ−ＲＳを受信するタイミングで前記非周期的ＣＳＩ−ＲＳを受信する場合、前記非周期的ＣＳＩ−ＲＳに関するＣＳＩを報告する請求項７に記載の端末装置。
【請求項１５】
端末装置と通信する基地局装置における通信方法であって、
チャネル状態情報参照信号（ＣＳＩ−ＲＳ）及び前記ＣＳＩ−ＲＳの設定情報を前記端末装置に送信する送信ステップと、
前記端末装置から前記ＣＳＩ−ＲＳに関するチャネル状態情報（ＣＳＩ）を受信する受信ステップを備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む通信方法。
【請求項１６】
基地局装置と通信する端末装置における通信方法であって、
チャネル状態情報参照信号（ＣＳＩ−ＲＳ）及び前記ＣＳＩ−ＲＳの設定情報を前記基地局装置から受信する受信ステップと、
前記ＣＳＩ−ＲＳに関するチャネル状態情報（ＣＳＩ）を前記基地局装置に送信する送信ステップを備え、
前記ＣＳＩ−ＲＳは、周期的に送信される周期的ＣＳＩ−ＲＳ又は非周期に送信される非周期的ＣＳＩ−ＲＳであり、
前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、
送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、次世代移動通信システムが検討されている。次世代移動通信システムでは、非特許文献１に記載されているように、多数のアンテナを備えるＭａｓｓｉｖｅ  ＭＩＭＯ（Multiple Input Multiple Output）やＦｕｌｌ  Ｄｉｍｅｎｓｉｏｎ  （ＦＤ）  ＭＩＭＯと呼ばれる技術が検討されている。Ｍａｓｓｉｖｅ  ＭＩＭＯやＦＤ  ＭＩＭＯでは、ビームフォーミングにより大容量伝送やスループットの向上が期待できる。
【先行技術文献】
【非特許文献】
【０００４】
【非特許文献１】Ｓａｍｓｕｎｇ、“Ｅｎｈａｎｃｅｍｅｎｔｓ  ｏｎ  Ｆｕｌｌ−Ｄｉｍｅｎｓｉｏｎ  （ＦＤ）  ＭＩＭＯ  ｆｏｒ  ＬＴＥ、”  ＲＰ−１６０６２３、２０１６年３月。
【発明の概要】
【発明が解決しようとする課題】
【０００５】
しかしながら、非特許文献１に記載のＭａｓｓｉｖｅ  ＭＩＭＯやＦＤ  ＭＩＭＯでは、アンテナ数が非常に多くなるため、ビームパターンの探索やデータ復調のために、多数の参照信号を送信しなければならず、参照信号のオーバーヘッドによるスループット劣化が問題となる。
【０００６】
本発明はこのような事情を鑑みてなされたものであり、その目的は、多数のアンテナを用いる場合に参照信号のオーバーヘッドを抑え、スループットを改善することができる基地局装置、端末装置及び通信方法を提供することにある。
【課題を解決するための手段】
【０００７】
上述した課題を解決するために本発明に係る基地局装置、端末装置および通信方法の構成は、次の通りである。
【０００８】
本発明の基地局装置は、端末装置と通信する基地局装置であって、チャネル状態情報参照信号（ＣＳＩ−ＲＳ）及び前記ＣＳＩ−ＲＳの設定情報を前記端末装置に送信する送信部と、前記端末装置から前記ＣＳＩ−ＲＳに関するチャネル状態情報（ＣＳＩ）を受信する受信部を備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む。
【０００９】
また本発明の基地局装置において、前記ＣＳＩ報告タイプがＣＬＡＳＳ  Ａを示す場合、送信する前記ＣＳＩ−ＲＳのアンテナポート数Ｎによって前記周期的ＣＳＩ−ＲＳの送信周期は異なる。
【００１０】
また本発明の基地局装置において、前記ＣＳＩ−ＲＳの設定情報は複数のリソース設定を含み、前記リソース設定の各々は、前記ＣＳＩ−ＲＳのアンテナポート数よりも少ないアンテナポートのＣＳＩ−ＲＳの配置される情報を示し、前記複数のリソース設定のうち、１又は全部のリソース設定で示されるアンテナポート数のＣＳＩ−ＲＳを送信する。
【００１１】
また本発明の基地局装置において、前記複数のリソース設定のうち１つのリソース設定でＣＳＩ−ＲＳを送信する場合と前記複数のリソース設定の全部のリソース設定でＣＳＩ−ＲＳを送信する場合とで、ＣＳＩ−ＲＳの送信周期は異なる。
【００１２】
また本発明の基地局装置において、前記送信部は、前記ＣＳＩ−ＲＳのアンテナポート数Ｎ（Ｎは自然数）よりも少ないアンテナポート数Ｍ（Ｍは自然数）のＣＳＩ−ＲＳ及び該ＣＳＩ−ＲＳの設定情報を送信し、前記アンテナポート数ＮのＣＳＩ−ＲＳの設定情報に含まれるＣＳＩ−ＲＳ設定ＩＤと前記アンテナポート数ＭのＣＳＩ−ＲＳの設定情報に含まれるＣＳＩ−ＲＳ設定ＩＤは関連付けられている。
【００１３】
また本発明の基地局装置において、前記アンテナポート数ＮのＣＳＩ−ＲＳとアンテナポート数ＭのＣＳＩ−ＲＳは、異なるサブフレームで送信される。
【００１４】
また本発明の基地局装置において、前記周期的ＣＳＩ−ＲＳを送信するタイミングで前記非周期的ＣＳＩ−ＲＳを送信する場合、前記非周期的ＣＳＩ−ＲＳを優先して送信する。
【００１５】
また本発明の端末装置は、基地局装置と通信する端末装置であって、チャネル状態情報参照信号（ＣＳＩ−ＲＳ）及び前記ＣＳＩ−ＲＳの設定情報を前記基地局装置から受信する受信部と、前記ＣＳＩ−ＲＳに関するチャネル状態情報（ＣＳＩ）を前記基地局装置に送信する送信部を備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む。
【００１６】
また本発明の端末装置において、前記ＣＳＩ報告タイプがＣＬＡＳＳ  Ａを示す場合、受信する前記ＣＳＩ−ＲＳのアンテナポート数Ｎによって前記周期的ＣＳＩ−ＲＳの送信周期は異なる。
【００１７】
また本発明の端末装置において、前記ＣＳＩ−ＲＳの設定情報は複数のリソース設定を含み、前記リソース設定の各々は、前記ＣＳＩ−ＲＳのアンテナポート数よりも少ないアンテナポートのＣＳＩ−ＲＳの配置される情報を示し、前記複数のリソース設定のうち、１又は全部のリソース設定で示されるアンテナポート数のＣＳＩ−ＲＳを受信する。
【００１８】
また本発明の端末装置において、前記複数のリソース設定のうち１つのリソース設定でＣＳＩ−ＲＳを受信する場合と前記複数のリソース設定の全部のリソース設定でＣＳＩ−ＲＳを受信する場合とで、ＣＳＩ−ＲＳの送信周期は異なる。
【００１９】
また本発明の端末装置において、前記受信部は、前記ＣＳＩ−ＲＳのアンテナポート数
Ｎよりも少ないアンテナポート数ＭのＣＳＩ−ＲＳ及び該ＣＳＩ−ＲＳの設定情報を受信し、前記アンテナポート数ＮのＣＳＩ−ＲＳの設定情報に含まれるＣＳＩ−ＲＳ設定ＩＤと前記アンテナポート数ＭのＣＳＩ−ＲＳの設定情報に含まれるＣＳＩ−ＲＳ設定ＩＤは関連付けられている。
【００２０】
また本発明の端末装置において、前記アンテナポート数ＮのＣＳＩ−ＲＳとアンテナポート数ＭのＣＳＩ−ＲＳは、異なるサブフレームで送信される。
【００２１】
また本発明の端末装置において、前記周期的ＣＳＩ−ＲＳを受信するタイミングで前記非周期的ＣＳＩ−ＲＳを受信する場合、前記非周期的ＣＳＩ−ＲＳに関するＣＳＩを報告する。
【００２２】
また本発明の通信方法は、端末装置と通信する基地局装置における通信方法であって、チャネル状態情報参照信号（ＣＳＩ−ＲＳ）及び前記ＣＳＩ−ＲＳの設定情報を前記端末装置に送信する送信ステップと、前記端末装置から前記ＣＳＩ−ＲＳに関するチャネル状態情報（ＣＳＩ）を受信する受信ステップを備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む。
【００２３】
また本発明の通信方法は、基地局装置と通信する端末装置における通信方法であって、チャネル状態情報参照信号（ＣＳＩ−ＲＳ）及び前記ＣＳＩ−ＲＳの設定情報を前記基地局装置から受信する受信ステップと、前記ＣＳＩ−ＲＳに関するチャネル状態情報（ＣＳＩ）を前記基地局装置に送信する送信ステップを備え、前記ＣＳＩ−ＲＳは、周期的に送信される周期的ＣＳＩ−ＲＳ又は非周期に送信される非周期的ＣＳＩ−ＲＳであり、前記ＣＳＩ−ＲＳの設定情報は、前記ＣＳＩの報告に関するタイプを示す情報であるＣＳＩ報告タイプ及びＣＳＩ−ＲＳ設定情報のＩＤであるＣＳＩ−ＲＳ設定情報ＩＤ、周期的ＣＳＩ−ＲＳの情報又は非周期的ＣＳＩ−ＲＳの情報を含む。
【発明の効果】
【００２４】
本発明によれば、参照信号のオーバーヘッドを抑え、スループットを向上させることができる。
【図面の簡単な説明】
【００２５】
【図１】本実施形態に係る通信システムの例を示す図である
【図２】本実施形態に係るＣＳＩ−ＲＳ送信周期の例を示す図である
【図３】本実施形態に係る基地局装置の構成例を示すブロック図である
【図４】本実施形態に係る端末装置の構成例を示すブロック図である
【発明を実施するための形態】
【００２６】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。また端末装置と接続している（無線リンクを確立している）基地局装置をサービングセルと呼ぶ。
【００２７】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、
いわゆるアンライセンスバンド（unlicensed band）と呼ばれる周波数バンドで通信する
ことができる。
【００２８】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２９】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００３０】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３１】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００３２】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを
示すＣＳＩ−ＲＳ（Reference Signal、参照信号）リソース指標ＣＲＩ（CSI-RS Resource Indication）などが該当する。
【００３３】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００３４】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３５】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡ
ＣＫおよび／またはチャネル状態情報を送信するために用いられても良い。また、ＰＵＳＣＨは、上りリンク制御情報のみを送信するために用いられても良い。
【００３６】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３７】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３８】
ＰＲＡＣＨは、ランダムアクセスプリアンブルを送信するために用いられる。
【００３９】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４０】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４１】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００４２】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００４３】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信し
なかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４４】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００４５】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４６】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４７】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４８】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４９】
また、上りリンクに対するＤＣＩフォーマットは、下りリンクのチャネル状態情報（ＣＳＩ；Channel State Information。受信品質情報とも称する。）を要求（CSI request）するために用いることができる。
【００５０】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５１】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００５２】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、
Subband CQI）などがある。
【００５３】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５４】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５５】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５６】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５７】
ここで、ＲＲＣメッセージおよび／またはＭＡＣ  ＣＥを、上位層の信号（higher layer signaling）とも称する。
【００５８】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００５９】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００６０】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６１】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリ
ンクのチャネル状態情報を算出するために用いられる。
【００６２】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６３】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６５】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００６６】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６７】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６８】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６９】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００７０】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣｅｌｌ）とオプションで１又は複数のＳＣｅｌｌから構成される。
【００７１】
基地局装置はＣＳＩ−ＲＳ設定情報を端末装置に送信することができる。ＣＳＩ−ＲＳ設定情報は、アンテナポート数、リソース設定、サブフレーム設定の一部又は全部を含む。またリソース設定はＣＳＩ−ＲＳが配置されるリソースに関する情報である。サブフレーム設定は、ＣＳＩ−ＲＳが配置されるサブフレームやＣＳＩ−ＲＳが送信される周期（ＣＳＩ−ＲＳリソースが設定される周期）に関する情報である。
【００７２】
またＣＳＩ−ＲＳは、ＣＳＩ報告（フィードバック）に関するｅＭＩＭＯタイプ（ＣＳＩ報告タイプ）としてｎｏｎ−ｐｒｅｃｏｄｅｄ（ＣＬＡＳＳ  Ａとも呼ぶ）及び／又はｂｅａｍｆｏｒｍｅｄ（ＣＬＡＳＳ  Ｂとも呼ぶ）が設定される。なお、ｎｏｎ−ｐｒｅｃｏｄｅｄ（ＣＬＡＳＳ  Ａ）が設定されたＣＳＩ−ＲＳをｎｏｎ−ｐｒｅｃｏｄｅｄ  ＣＳＩ−ＲＳ（ＮＰ  ＣＳＩ−ＲＳ、第１のＣＳＩ−ＲＳ）とも呼び、ｂｅａｍｆｏｒｍｅｄ（ＣＬＡＳＳ  Ｂ）が設定されたＣＳＩ−ＲＳを（ＢＦ  ＣＳＩ−ＲＳ、第２のＣＳＩ−ＲＳ）とも呼ぶ。また基地局装置は、ＮＰ  ＣＳＩ−ＲＳかＢＦ  ＣＳＩ−ＲＳかを示す情報を端末装置に送信することができる。つまり、端末装置は、基地局装置からＮＰ
ＣＳＩ−ＲＳかＢＦ  ＣＳＩ−ＲＳかを示す情報を受信し、設定されたＣＳＩ−ＲＳがＮＰ  ＣＳＩ−ＲＳかＢＦ  ＣＳＩ−ＲＳかを知ることができる。また、ＮＰ−ＣＳＩ−ＲＳ及び／又はＢＦ  ＣＳＩ−ＲＳは、ＣＳＩ測定、ＲＲＭ（Ｒａｄｉｏ  Ｒｅｓｏｕｒｃｅ  Ｍａｎａｇｅｒ）測定、ＲＬＭ（Ｒａｄｉｏ  Ｌｉｎｋ  Ｍｏｎｉｔｏｒｉｎｋ）測定などに用いられる。
【００７３】
また基地局装置は、上位レイヤのシグナリングに、少なくともチャネル測定のためのＣＳＩ−ＲＳと干渉測定のためのＣＳＩ−ＩＭ（Ｉｎｔｅｒｆｅｒｅｎｃｅ  Ｍｅａｓｕｒｅｍｅｎｔ）を関連付けて、チャネル状態情報を算出する手順に関する設定(ＣＳＩプロ
セス)を含めることができる。ＣＳＩプロセスには、そのＣＳＩプロセスＩＤ、ＣＳＩ−
ＲＳの設定情報、ＣＳＩ−ＲＳ設定ＩＤ、ＮＰ  ＣＳＩ−ＲＳかＢＦ  ＣＳＩ−ＲＳかを示す情報（ｅＭＩＭＯタイプ、ＣＳＩ報告タイプ）、NP CSI-RSの設定情報、BF CSI-RSの設定情報の一部又は全部を含めることができる。基地局装置は、１つ以上のＣＳＩプロセスを設定することができる。基地局装置は、ＣＳＩのフィードバックを前記ＣＳＩプロセス毎に独立して生成することができる。基地局装置は、ＣＳＩプロセス毎にＣＳＩ-ＲＳ
リソースとＣＳＩ−ＩＭを異なる設定にすることができる。端末装置は、１つ以上のＣＳＩプロセスが設定され、設定されたＣＳＩプロセス毎に独立にＣＳＩ報告を行う。また、ＣＳＩプロセスは、所定の送信モードにおいて設定される。
【００７４】
ＮＰ  ＣＳＩ−ＲＳでは、１つのＣＳＩ−ＲＳリソースが設定される。また、１つのＣＳＩ−ＲＳリソースは複数のＣＳＩ−ＲＳリソース設定から構成され得る。複数のＣＳＩ−ＲＳリソースの各々のアンテナポート数は同じであっても異なってもよい。例えば、１２ポートのＣＳＩ−ＲＳリソースは、３つの４ポートＣＳＩ−ＲＳリソースによって構成される。また例えば、１６ポートのＣＳＩ−ＲＳリソースは、２つの８ポートＣＳＩ−ＲＳリソースによって構成される。また例えば、２０ポートのＣＳＩ−ＲＳリソースは、１２ポートのＣＳＩ−ＲＳリソースの構成及び８ポートのＣＳＩ−ＲＳリソースから構成される。また例えば、２４ポートのＣＳＩ−ＲＳリソースは、３つの８ポートＣＳＩ−ＲＳリソースや２つの１２ポートＣＳＩ−ＲＳリソースによって構成される。また例えば２８ポートのＣＳＩ−ＲＳリソースは、１２ポートＣＳＩ−ＲＳリソース及び１６ポートＣＳＩ−ＲＳリソースや７つの４ポートＣＳＩ−ＲＳリソースから構成される。また例えば３２ポートＣＳＩ−ＲＳリソースは２つの１６ポートＣＳＩ−ＲＳリソースや４つの８ポー
トＣＳＩ−ＲＳから構成される。なお各アンテナポート数のＣＳＩ−ＲＳリソースの構成は一例であり、これに限るものではない。
【００７５】
またＣＳＩ−ＲＳ設定ＩＤが設定される場合、ＮＰ  ＣＳＩ−ＲＳでは、１つのＣＳＩ−ＲＳ設定ＩＤが設定される。また、基地局装置はＮＰ  ＣＳＩ−ＲＳを複数の拡散率（拡散コード長）で拡散して送信することができる。また基地局装置は、どの拡散率（拡散コード長）を用いたかを示す情報を端末装置に送信することができる。つまり端末装置は、基地局装置から受信したどの拡散率（拡散コード長）を用いたかを示す情報によって、ＮＰ  ＣＳＩ−ＲＳに用いられた拡散率（拡散コード長）を知ることができる。
【００７６】
また、基地局装置は、ＮＰ  ＣＳＩ−ＲＳを拡散する際に、ＣＳＩ−ＲＳのポート数に基づいて、１つのＮＰ  ＣＳＩ−ＲＳを拡散するＯＦＤＭシンボルおよびサブキャリア間隔を異なる値に設定することができる。例えば、基地局装置は、ＣＳＩ−ＲＳのポート数が所定の値（例えば１６）以下であった場合、１つのＮＰ  ＣＳＩ―ＲＳを拡散する複数のＯＦＤＭシンボルは１スロット内に含まれるように設定し、ＣＳＩ−ＲＳのポート数が所定の値を上回る場合、１つのＮＰ  ＣＳＩ―ＲＳを拡散する複数のＯＦＤＭシンボルは２スロット内（又はサブフレーム内）に含まれるように設定することができる。
【００７７】
また、基地局装置は、ＣＳＩ−ＲＳリソースの設定を、複数のサブフレームに渡って設定することができる。例えば、基地局装置は、ｍを自然数とし、２０ポートのＣＳＩ−ＲＳリソースを設定する際に、第ｍサブフレームに対して１２ポートのＣＳＩ−ＲＳリソースを設定し、第（ｍ＋１）サブフレームに８ポートのＣＳＩ−ＲＳリソースを設定することができる。ただし、上記は一例であり連続するサブフレームには限らない。すなわち、本実施形態に係る基地局装置は、端末装置に対して複数のＣＳＩ−ＲＳポートを設定する際に、複数のサブフレームを、ＣＳＩ−ＲＳポートを設定するサブフレームとして設定することができる。基地局装置は、ＣＳＩ−ＲＳリソースの設定を複数のサブフレームに渡って設定する際に、その設定周期（ＣＳＩ−ＲＳリソースの送信周期、ＣＳＩ−ＲＳリソースの設定周期）は、サブフレーム毎に異なることもできるし、同じとすることもできる。
【００７８】
また、基地局装置は、端末装置に対して設定した複数のＣＳＩ−ＲＳリソース（又はリソース設定）のうち、少なくとも１つのＣＳＩ−ＲＳリソース（又はリソース設定）に対して、ＣＳＩ−ＲＳ以外の信号を配置することができる。基地局装置は、ＣＳＩ−ＲＳ以外の信号を配置するＣＳＩ−ＲＳリソースを示す設定情報（CSI-RSサブセット制限情報、CSI-RS Subset Restriction）を端末装置に設定することができる。基地局装置がＣＳＩ
−ＲＳサブセット制限情報を端末装置に設定する周期は、基地局装置がＣＳＩ−ＲＳリソースを端末装置に設定する周期と同じとすることもできるし、異なる周期とすることもできる。
【００７９】
また、基地局装置が端末装置に設定するＣＳＩ−ＲＳのアンテナポート数は、基地局装置が端末装置に通知するＤＣＩ、ＤＣＩフォーマット、もしくはＤＣＩフォーマットの記載内容に応じて制限されることができる。例えば、基地局装置は、端末装置の上りリンク伝送の送信モードをＤＣＩで設定する際に、該送信モードが所定の送信モードに含まれていない場合、基地局装置は該端末装置に設定するＣＳＩ−ＲＳのポート数を所定数（例えば１６以下）に制限することができる。ＣＳＩ−ＲＳのポート数の増加に従い、端末装置が上りリンク伝送で送信する信号に含まれるＣＳＩフィードバック情報量が増加するため、基地局装置は該ＣＳＩフィードバック情報量をサポート可能（送信可能）な送信モードを設定できる端末装置に対して、１６を上回るポート数のＣＳＩ−ＲＳリソースを設定することができる。逆に言えば、基地局装置は、ＣＳＩフィードバック情報量をサポート可能（送信可能）な端末装置に対して、所定数以上（例えば１６ポートより多い）のアンテ
ナポート数で送信することができる。
【００８０】
ＮＰ  ＣＳＩ−ＲＳが設定された場合、基地局装置はＮＰ  ＣＳＩ−ＲＳの設定情報を端末装置に送信することができる。ＮＰ  ＣＳＩ−ＲＳの設定情報は、アンテナポート数、コードブックサブセット制限（CBSR; Codebook Subset Restriction）に関する情報、
コードブックに関する情報、干渉を測定する際のリソース制限をするか否かの設定である干渉測定制限、１又は複数のリソース設定、拡散コード長の一部又は全部を含む。なお、基地局装置はアンテナポート数とリソース設定は関連付けて設定することができる。例えば、ＮＰ  ＣＳＩ−ＲＳの設定情報が複数のアンテナポート数、複数の１又は複数のリソース設定を含む場合、アンテナポート数の各々と１又は複数のリソース設定の各々が関連付けられる。
【００８１】
多数のアンテナポートでＣＳＩ−ＲＳを送信する場合、ＣＳＩ−ＲＳを送信するためのリソースが増えてしまう。このため、ＣＳＩ−ＲＳ送信のオーバーヘッドを減らすことによって、スループットが向上する。ＣＳＩ−ＲＳ送信のオーバーヘッドを減らすために、ＣＳＩ−ＲＳの送信周期を長くすることが考えられる。例えば、水平方向のビームフォーミングと垂直方向のビームフォーミングを考えると、一般に好適な垂直ビームの変化は好適な水平ビームの変化よりも緩やかである。従って、垂直ビームに関連するＣＳＩ−ＲＳの送信周期（間隔）又はＣＳＩ−ＲＳリソースの設定周期を長くすることで、ＣＳＩ−ＲＳ送信のオーバーヘッドを低減できる。例えば、水平方向に８アンテナポート、垂直方向に４アンテナポートの場合、合計で３２アンテナポートになる。このとき、図２に示すように、基地局装置は、周期ＴＨで水平方向の８ポートＣＳＩ−ＲＳを送信し、周期ＴＶで３２ポートＣＳＩ−ＲＳを送信することができる。なお、ＴＨ＜ＴＶである。また８ポートのＣＳＩ−ＲＳ設定情報は３２ポートＣＳＩ−ＲＳ設定情報に含まれても良いし、８ポートのＣＳＩ−ＲＳ設定情報と３２ポートＣＳＩ−ＲＳ設定情報は別の設定としても良い。８ポートのＣＳＩ−ＲＳ設定情報と３２ポートＣＳＩ−ＲＳ設定情報が別の設定の場合、２つの設定情報はリンクさせる必要がある。例えば、８ポートのＣＳＩ−ＲＳ設定情報に含まれるＣＳＩ−ＲＳ設定ＩＤと３２ポートＣＳＩ−ＲＳ設定情報に含まれるＣＳＩ−ＲＳ設定ＩＤは同じとすることができる。この場合、端末装置は、同じＣＳＩ−ＲＳ設定ＩＤに関するＣＳＩを考慮してＣＳＩを算出及び報告することができる。また、８ポート又は３２ポートＣＳＩ−ＲＳ設定情報に参照先のＩＤを含めることができる。このとき端末装置は、参照先のＩＤに関するＣＳＩを考慮してＣＳＩを算出及び報告することができる。このように、３２ポートＣＳＩ−ＲＳが設定された場合であっても、基地局装置は８ポートのＣＳＩ−ＲＳ又は３２ポートのＣＳＩ−ＲＳを送信するため、３２ポートＣＳＩ−ＲＳを送信し続ける場合と比べて、ＣＳＩ−ＲＳのオーバーヘッドを低減できる。また基地局装置はＣＳＩ−ＲＳの送信周期をＮＰ  ＣＳＩ−ＲＳの設定情報に含めることができる。また例えば、端末装置は、３２ポートＣＳＩ−ＲＳが設定されている場合に、基地局装置から受信したＣＳＩ−ＲＳ及び／又はＮＰ  ＣＳＩ−ＲＳの設定情報から８ポートＣＳＩ−ＲＳが送信されたか、３２ポートＣＳＩ−ＲＳが送信されたかを判断（特定）することができる。また端末装置は、３２ポートＣＳＩ−ＲＳが設定されている場合に８ポートＣＳＩ−ＲＳを受信したとき、８ポートＣＳＩ−ＲＳからＣＱＩ／ＰＭＩ／ＲＩを算出して基地局装置に報告することもできるし、以前の報告時に算出した３２ポートのＣＱＩ／ＰＭＩ／ＲＩを用いて８ポートのＣＱＩ／ＰＭＩ／ＲＩを算出して基地局装置に報告することができる。
【００８２】
また基地局装置は、多数のアンテナポートの場合に、ＣＳＩ−ＲＳの送信周期を長く設定することもできる。つまり、アンテナポート数によって、設定できるＣＳＩ−ＲＳの送信周期を変えることができる。例えば、アンテナポート数が１６以下の場合よりも、アンテナポート数が１６より多い場合の方が、長い周期を設定する。また例えばＣＳＩ−ＲＳのアンテナポート数が１６より多い場合、基地局装置は、ＣＳＩ−ＲＳの送信周期をＣＳ
Ｉ−ＲＳの設定情報又はＮＰ  ＣＳＩ−ＲＳの設定情報に含めることができる。
【００８３】
ＢＦ  ＣＳＩ−ＲＳでは、１又は複数のＣＳＩ−ＲＳリソースが設定される。ここではＣＳＩ−ＲＳリソース数をＫ（Ｋは自然数）とする。複数のＣＳＩ−ＲＳのうち、少なくとも１つは異なるビーム方向となるようにビームフォーミングされる。またＢＦ  ＣＳＩ−ＲＳの最大アンテナポート数はＮＰ  ＣＳＩ−ＲＳの最大アンテナポート数よりも少ない。またＣＳＩ−ＲＳ  ＩＤが設定される場合、ＢＦ  ＣＳＩ−ＲＳでは、１又は複数のＣＳＩ−ＲＳ  ＩＤが設定される。またＢＦ  ＣＳＩ−ＲＳが設定された場合、端末装置は、複数のＣＳＩ−ＲＳリソースから好適なＣＳＩ−ＲＳリソースを選択し、ＣＳＩとしてＣＱＩ／ＰＭＩ／ＲＩ／ＣＲＩを基地局装置に報告する。
【００８４】
ＢＦ  ＣＳＩ−ＲＳが設定された場合、基地局装置はＢＦ  ＣＳＩ−ＲＳの設定情報を端末装置に送信することができる。ＢＦ  ＣＳＩ−ＲＳの設定情報は、１又は複数のＣＳＩ−ＲＳ設定ＩＤ、干渉測定制限、コードブックサブセット制限（CBSR; Codebook Subset Restriction）に関する情報、各ＣＳＩ−ＲＳ設定ＩＤ毎の４ポートにおける別のコー
ドブックの指示、ＢＦ  ＣＳＩ−ＲＳのコードブックに関する情報、チャネル測定時のリソース（サブフレーム）を制限するか否かの設定であるチャネル測定制限の一部又は複数を含む。
【００８５】
基地局装置は、端末装置からのＣＳＩ報告によって、端末装置のチャネル情報を得ることができる。端末装置は、ＮＰ  ＣＳＩ−ＲＳ（ＣＬＡＳＳ  Ａ）が設定された場合、基地局装置にＣＱＩ／ＰＭＩ／ＲＩを報告することができる。ＢＦ  ＣＳＩ−ＲＳ（ＣＬＡＳＳ  Ｂ）が設定された場合、基地局装置にＣＱＩ／ＰＭＩ／ＲＩ／ＣＲＩを報告することができる。また、ＮＰ  ＣＳＩ−ＲＳとＢＦ  ＣＳＩ−ＲＳの両方（ＣＬＡＳＳ  Ｃとも呼ぶ）が設定された場合、端末装置は、ＮＰ  ＣＳＩ−ＲＳに関するＣＳＩとＢＦ  ＣＳＩ−ＲＳに関するＣＳＩを報告する。
【００８６】
またＮＰ  ＣＳＩ−ＲＳとＢＦ  ＣＳＩ−ＲＳの両方が設定される場合、基地局装置は、ＮＰ  ＣＳＩ−ＲＳの送信周期とＢＦ  ＣＳＩ−ＲＳの送信周期を変えることができる。例えば、基地局装置は、ＮＰ  ＣＳＩ−ＲＳの送信周期はＢＦ  ＣＳＩ−ＲＳの送信周期よりも長く設定することができる。
【００８７】
また、基地局装置はＫの値が異なるＢＦ  ＣＳＩ−ＲＳを複数設定することができる。また基地局装置は、Ｋの値に従ってＣＳＩ−ＲＳの送信周期を変えることができる。Ｋの値が大きくなるとＣＳＩ−ＲＳのオーバーヘッドが大きくなるため、Ｋの値が大きくなるに従ってＣＳＩ−ＲＳ送信周期を大きくすることによってＣＳＩ−ＲＳのオーバーヘッドを低減できる。例えばＫ＝１とＫ＞１のＢＦ  ＣＳＩ−ＲＳが設定されている場合、Ｋ＝１のＢＦ  ＣＳＩ−ＲＳの送信周期は、Ｋ＞１のＢＦ  ＣＳＩ−ＲＳよりも短く設定することができる。
【００８８】
また、Ｋの値が異なるＢＦ  ＣＳＩ−ＲＳを複数設定された場合、端末装置は設定されたＢＦ  ＣＳＩ−ＲＳの各々に対するＣＱＩ／ＰＭＩ／ＲＩ／ＣＲＩを基地局装置に報告する。もしくは、端末装置は設定された全てのＢＦ  ＣＳＩ−ＲＳリソースから好適なＢＦ  ＣＳＩ−ＲＳリソースを選択し、そのＢＦ  ＣＳＩ−ＲＳのＣＱＩ／ＰＭＩ／ＲＩ／ＣＲＩを基地局装置に報告する。
【００８９】
また、ＣＳＩ−ＲＳは周期的に送信することに加え、非周期的に送信することができる。周期的なＣＳＩ−ＲＳをＰｅｒｉｏｄｉｃ  ＣＳＩ−ＲＳ（Ｐ−ＣＳＩ−ＲＳ、周期的ＣＳＩ−ＲＳ）、非周期的なＣＳＩ−ＲＳをＡｐｅｒｉｏｄｉｃ  ＣＳＩ−ＲＳ（Ａ−ＣＳＩ−ＲＳ、非周期的ＣＳＩ−ＲＳ）とも呼ぶ。例えばＡ−ＣＳＩ−ＲＳは基地局装置が
指示するタイミングで送信される。この場合、端末装置は、基地局装置から制御情報等で指示されたタイミングでＡ−ＣＳＩ−ＲＳを受信する。Ｐ−ＣＳＩ−ＲＳの設定情報及び／又はＡ−ＣＳＩ−ＲＳの設定情報は上位層のシグナリング又は下りリンク制御情報などの物理層のシグナリングで送信される。Ａ−ＣＳＩ−ＲＳの設定情報は、アンテナポート数、ＣＳＩ−ＲＳ設定ＩＤ、リソース設定、ＣＳＩ報告タイプ、ＣＳＩを報告するサブフレーム（リソース）の一部又は全部を含む。また、Ｐ−ＣＳＩ−ＲＳの設定情報及び／又はＡ−ＣＳＩ−ＲＳの設定情報は上記ＣＳＩ−ＲＳの設定情報に含めることができる。基地局装置は、Ａ−ＣＳＩ−ＲＳに関する情報を下りリンク制御情報に含めて送信する場合、この下りリンク制御情報と同じサブフレーム（スロット）でＣＳＩ−ＲＳを送信する。逆に言えば、端末装置は、受信した下りリンク制御情報にＡ−ＣＳＩ−ＲＳに関する情報が含まれている場合、この下りリンク制御情報と同じサブフレーム（スロット）でＡ−ＣＳＩ−ＲＳを受信する。このようにＡ−ＣＳＩ−ＲＳはあるタイミングで送信されるため、不必要にＣＳＩ−ＲＳを送信しなくなるため、ＣＳＩ−ＲＳのオーバーヘッドを低減することができる。
【００９０】
また、Ｐ−ＣＳＩ−ＲＳとＡ−ＣＳＩ−ＲＳが衝突した場合、端末装置はＡ−ＣＳＩ−ＲＳを優先してＣＳＩ等を報告する。Ｐ−ＣＳＩ−ＲＳとしてＮＰ  ＣＳＩ−ＲＳが設定されている場合に、Ａ−ＣＳＩ−ＲＳとしてＢＦ  ＣＳＩ−ＲＳを受信した場合、端末装置は、ＢＦ  ＣＳＩ−ＲＳに関するＣＳＩを報告する。逆に、Ｐ−ＣＳＩ−ＲＳとしてＢＦ  ＣＳＩ−ＲＳが設定されている場合に、Ａ−ＣＳＩ−ＲＳとしてＮＰ  ＣＳＩ−ＲＳを受信した場合、端末装置は、ＮＰ  ＣＳＩ−ＲＳに関するＣＳＩを報告する。
【００９１】
また、Ｐ−ＣＳＩ−ＲＳ系列を生成するための初期値とＡ−ＣＳＩ−ＲＳ系列を生成するための初期値は変えることができる。例えば、Ｐ−ＣＳＩ−ＲＳ系列の初期値は物理セルＩＤで、Ａ−ＣＳＩ−ＲＳはユーザ固有のＩＤとすることができる。この場合、端末装置は、ＣＳＩ−ＲＳ系列の初期値を知ることで、受信したＣＳＩ−ＲＳがＰ−ＣＳＩ−ＲＳかＡ−ＣＳＩ−ＲＳかを判断することができる。
【００９２】
図３は、本実施形態における基地局装置１Ａの構成を示す概略ブロック図である。図３に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００９３】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００９４】
上位層処理部１０１は、端末装置の機能（UE capability）等、端末装置に関する情報
を端末装置から受信する。言い換えると、端末装置は、自身の機能を基地局装置に上位層の信号で送信する。
【００９５】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００９６】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００９７】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００９８】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００９９】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【０１００】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【０１０１】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１０２】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１０３】
下りリンク参照信号生成部１０３３は、基地局装置１Ａを識別するための物理セル識別子（ＰＣＩ、セルＩＤ）などを基に予め定められた規則で求まる、端末装置２Ａが既知の
系列を下りリンク参照信号として生成する。
【０１０４】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１０５】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１０６】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【０１０７】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０８】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０９】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１１０】
また、多重分離部１０４２は、ＰＵＣＣＨとＰＵＳＣＨの伝搬路の補償を行なう。また、多重分離部１０４２は、上りリンク参照信号を分離する。
【０１１１】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１１２】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１１３】
図４は、本実施形態における端末装置２の構成を示す概略ブロック図である。図４に示
すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１１４】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１１５】
上位層処理部２０１は、自端末装置がサポートしている端末装置の機能を示す情報を、送信部２０３に出力する。
【０１１６】
無線リソース制御部２０１１は、自端末装置の各種設定情報の管理をする。また、無線リソース制御部２０１１は、上りリンクの各チャネルに配置される情報を生成し、送信部２０３に出力する。
【０１１７】
無線リソース制御部２０１１は、基地局装置から送信されたＣＳＩフィードバックに関する設定情報を取得し、制御部２０２に出力する。
【０１１８】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１９】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１２０】
制御部２０２は、チャネル状態情報生成部２０５が生成したＣＳＩを基地局装置に送信するように送信部２０３を制御する。
【０１２１】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１２２】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１２３】
また、無線受信部２０４１は、変換したディジタル信号からＣＰに相当する部分を除去し、ＣＰを除去した信号に対して高速フーリエ変換を行い、周波数領域の信号を抽出する。
【０１２４】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１２５】
信号検出部２０４３は、ＰＤＳＣＨ、チャネル推定値を用いて、信号検出し、上位層処理部２０１に出力する。
【０１２６】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１２７】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１２８】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２９】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１３０】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１３１】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１３２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を
制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１３３】
尚、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１３４】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１３６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１３８】
本発明は、基地局装置、端末装置および通信方法に用いて好適である。
【符号の説明】
【０１３９】
１Ａ  基地局装置
２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2019091956.tif 000003
【図２】
2019091956.tif 000004
【図３】
2019091956.tif 000005
【図４】
2019091956.tif 000006